(57)【要約】【課題】ＤＣ−ＤＣコンバータを備えていない燃料電池システムにおいても、燃料電池の交流インピーダンスの測定を可能にする燃料電池システム及び測定方法を提供する。【解決手段】本燃料電池システム１は、少なくとも、インバータ装置１６１の出力電力を正弦変化させるための正弦波重畳部１６と、正弦波重畳部１６の入力信号を制御する制御部１７と、燃料電池１１の交流インピーダンスを測定するための交流インピーダンス測定装置１８と、燃料電池１１の出力電圧値を示す信号を出力する電圧計Ｖと、燃料電池１１の出力電流値を示す信号を出力する電流計Ａと、を備え、制御部１７は、モータ装置１２のトルクを一定に維持しながら、正弦波重畳部１６により、インバータ装置１６１の出力電力を正弦変化させた状態で、燃料電池１１の交流インピーダンスを測定する。【選択図】図１
2008053162.tif 000002
【特許請求の範囲】
【請求項１】
燃料電池の交流インピーダンスを測定可能な燃料電池システムにおいて、
前記燃料電池から出力される直流電力を交流電力に変換するインバータ装置と、
前記燃料電池から、前記インバータ装置を介して電力供給を受けるモータ装置と、
前記インバータ装置及び前記モータ装置を制御するインバータ制御部と、
前記インバータ制御部を介して前記インバータ装置を制御する制御装置と、を備え、
前記制御装置は、前記交流インピーダンスの測定時に、前記モータ装置のトルクを一定に維持しながら、前記インバータ装置の出力電力を正弦変化させるように前記インバータ制御部を制御すること、を特徴とする燃料電池システム。
【請求項２】
前記制御装置は、前記モータ装置のトルクを一定に維持しながら、進角を正弦変化させるように前記前記インバータ装置の出力を制御することを特徴とする請求項１に記載の燃料電池システム。
【請求項３】
前記制御装置は、前記インバータ装置の出力を制御するための直交する二相電流ベクトルのうち、ｑ軸電流成分を一定に保持し、前記モータ装置のｄ軸電流成分を変化させることを特徴とする請求項１に記載の燃料電池システム。
【請求項４】
前記ｄ軸電流成分は、第１電流成分と第２電流成分との間で変動制御されるものであり、前記第１電流成分に対応する前記モータ装置の動作点は、前記第１電流成分に対応した進角−トルク特性において極大値を示す点に相当していることを特徴とする請求項３に記載の燃料電池システム。
【請求項５】
燃料電池の交流インピーダンスを測定可能なＤＣ−ＤＣコンバータを備えた燃料電池システムにおいて、
前記燃料電池から出力される直流電力を、交流電力に変換するインバータ装置と、
前記燃料電池から、前記インバータ装置を介して電力供給を受けるモータ装置と、
前記インバータ装置及び前記モータ装置を制御するインバータ制御部と、
前記インバータ制御部を介して前記インバータ装置を制御する制御装置と、を備え、
前記制御装置は、前記ＤＣ−ＤＣコンバータが異常を示した場合に、前記モータ装置のトルクを一定に維持しながら、前記インバータ装置の出力電力を正弦変化させるように前記インバータ制御部を制御することにより、前記交流インピーダンスを測定することを特徴とする燃料電池システム。
【請求項６】
燃料電池の交流インピーダンスを測定する交流インピーダンスの測定方法において、
ＤＣ−ＤＣコンバータの異常を検出するステップと、
前記ＤＣ−ＤＣコンバータの異常を検出した場合に、前記モータ装置のトルクを一定に維持しながら、前記ＤＣ−ＤＣコンバータが出力する電力を正弦変化させるステップと、を備えたことを特徴とする交流インピーダンスの測定方法。
【発明の詳細な説明】
【技術分野】
【０００１】
本発明は、燃料電池システム及び交流インピーダンスの測定方法に係り、特に燃料電池の動作状態を検出するために交流インピーダンスの測定を可能にする燃料電池システム及び交流インピーダンスの測定方法に関する。
【背景技術】
【０００２】
燃料電池の出力は、燃料電池の内部状態、例えば、電解質膜の湿潤度に影響を受けることが知られている。この電解質膜の湿潤度は、燃料電池の複素インピーダンスと相関があることから、従来、燃料電池の出力に交流信号を印加し、電圧に対する電流の振幅比と位相のずれの両方を検出することにより、複素インピーダンスを演算し、燃料電池の動作状態を監視することが提案されていた。
【０００３】
例えば、特開２００３−８６２２０号公報には、燃料電池の出力信号に周波数を高周波から低周波まで変化させながら制限波信号を印加した場合の燃料電池の複素インピーダンスを求め、燃料電池の内部水分量不足時に増加する抵抗成分Ｒ１と、内部水分量過剰時に増加する抵抗成分Ｒ２とから燃料電池の水分状態を推定する燃料電池システムが記載されている（特許文献１）。抵抗成分Ｒ１は高周波の正弦波信号を印加することで測定され、抵抗成分Ｒ２は低周波の正弦波信号を印加することで測定されるものとされていた。
【０００４】
同様の技術として、特開２００３−２９７４０８号公報には、電気化学セルの電圧あるいは電流の一方から被測定ガスの含水量を検出するよう構成された燃料電池システムが記載されている（特許文献２）。
【０００５】
また、特開２００５−３３２７０２号公報には、ｎ個のセル又はセルモジュールを備える燃料電池の電圧を昇降圧するＤＣ／ＤＣコンバータを使用して、この燃料電池に所定の周波数の交流を引加した時のセル等毎の電圧変化を測定することで、その内部抵抗を測定し、この内部抵抗及びリアクタンスからセル等毎の異常を検知する燃料電池診断装置が記載されている（特許文献３）。
上記従来技術によって、燃料電池のインピーダンスを測定することで、間接的に燃料電池内部の水分状態を把握することができていた。
【特許文献１】特開２００３−８６２２０号公報（段落０００７、０００４等）
【特許文献２】特開２００３−２９７４０８号公報（段落０００７等）
【特許文献３】特開２００５−３３２７０２号公報（段落００１４等）
【発明の開示】
【発明が解決しようとする課題】
【０００６】
ところで、上記従来の燃料電池システムにおけるインピーダンス測定方法にあっては、燃料電池の出力に交流信号を印加する手段として、前記燃料電池システムで使用されているＤＣ−ＤＣコンバータを利用し、このコンバータの出力に正弦波を重畳していた。ちなみに、このようなＤＣ−ＤＣコンバータは、前記燃料電池システムにおいて、バッテリから取り出されて負荷回路に供給される燃料電池の出力電圧値（動作点の電圧）を定めるためのものであった。即ち、このようなＤＣ−ＤＣコンバータを使用することによって、バッテリの電力を燃料電池の電力と共に負荷回路に流通させることができる（即ち、ハイブリッド燃料電池システムを構築することができる）。
【０００７】
しかしながら、このようなインピーダンス測定方法は、ＤＣ−ＤＣコンバータを備えていない燃料電池システム、例えば、図９に示すような燃料電池システム（即ち、バッテリ回路の代わりに電力用コンデンサが使用される燃料電池システム）に対しては使用できないという問題点があった。
【０００８】
図８は、ＤＣ−ＤＣコンバータを備えていない燃料電池システムの１構成例を示すものである。
図８に示す燃料電池システム（燃料電池システム９０）は、燃料電池９１（即ち、燃料電池本体）と、負荷装置であるエアコンプレッサモータ９２と、負荷装置である冷却ポンプモータ９３と、負荷装置であるトラクションモータ９４と、燃料電池９１からの充電及び前記負荷装置への放電が可能に構成された電力用コンデンサ９５と、を備えて構成される。
【０００９】
同図において、燃料電池９０には、負荷であるエアコンプレッサモータ９２と、冷却モータ９３と、トラクションモータ９４とが接続されており、また、燃料電池９０の出力端子には、燃料電池９０の出力電圧の変動や瞬断に備えて、この出力電圧を安定させるための電力用コンデンサ９５が接続されている。
【００１０】
また、ＤＣ−ＤＣコンバータを備えている燃料電池システムであっても、このＤＣ−ＤＣコンバータが異常を示して正常に作動しない場合（いわゆるリンプフォーム走行となった場合）には、やはり前記の従来手段は使用できなかった。
【００１１】
そこで本発明は、上記課題を解決するために、ＤＣ−ＤＣコンバータを備えていない燃料電池システムにおいても、燃料電池の交流インピーダンスの測定を可能にする燃料電池システム及び測定方法を提供することを目的としている。
【００１２】
また、本発明の他の目的は、ＤＣ−ＤＣコンバータを備えている燃料電池システムにおいて、前記ＤＣ−ＤＣコンバータが異常を示して正常に作動しなくなった場合にも、燃料電池の交流インピーダンスの測定が可能な燃料電池システム及び測定方法を提供することにある。
【課題を解決するための手段】
【００１３】
上記課題を解決するために、本発明の燃料電池システムは、燃料電池の交流インピーダンスを測定可能な燃料電池システムにおいて、前記燃料電池から出力される直流電力を交流電力に変換するインバータ装置と、前記燃料電池から、前記インバータ装置を介して電力供給を受けるモータ装置と、前記インバータ装置及び前記モータ装置を制御するインバータ制御部と、前記インバータ制御部を介して前記インバータ装置を制御する制御装置と、を備え、前記制御装置は、前記交流インピーダンスの測定時に、前記モータ装置のトルクを一定に維持しながら、前記インバータ装置の出力電力を正弦変化させるように前記インバータ制御部を制御すること、を特徴とする燃料電池システムを提供するものである。
【００１４】
ここで、前記燃料電池システムにおいて、前記制御装置は、前記モータ装置のトルクを一定に維持しながら、進角を正弦変化させるように前記前記インバータ装置の出力を制御することを特徴とする。
【００１５】
また、前記燃料電池システムにおいて、前記制御装置は、前記インバータ装置の出力を制御するための直交する二相電流ベクトルのうち、ｑ軸電流成分を一定に保持し、前記モータ装置のｄ軸電流成分を変化させることを特徴とする。
【００１６】
さらに、前記燃料電池システムにおいて、前記ｄ軸電流成分は、第１電流成分と第２電流成分との間で変動制御されるものであり、前記第１電流成分に対応する前記モータ装置の動作点は、前記第１電流成分に対応した進角−トルク特性において極大値を示す点に相当していることを特徴とする。
【００１７】
また、本発明の燃料電池システムは、燃料電池の交流インピーダンスを測定可能なＤＣ−ＤＣコンバータを備えた燃料電池システムにおいて、前記燃料電池から出力される直流電力を、交流電力に変換するインバータ装置と、前記燃料電池から、前記インバータ装置を介して電力供給を受けるモータ装置と、前記インバータ装置及び前記モータ装置を制御するインバータ制御部と、前記インバータ制御部を介して前記インバータ装置を制御する制御装置と、を備え、前記制御装置は、前記ＤＣ−ＤＣコンバータが異常を示した場合に、前記モータ装置のトルクを一定に維持しながら、前記インバータ装置の出力電力を正弦変化させるように前記インバータ制御部を制御することにより、前記交流インピーダンスを測定することを特徴とする燃料電池システムを提供するものである。
【００１８】
さらに、本発明の交流インピーダンスの測定方法は、ＤＣ−ＤＣコンバータの異常を検出するステップと、前記ＤＣ−ＤＣコンバータの異常を検出した場合に、前記モータ装置のトルクを一定に維持しながら、前記ＤＣ−ＤＣコンバータが出力する電力を正弦変化させるステップと、を備えたことを特徴とする交流インピーダンスの測定方法を提供するものである。
【発明の効果】
【００１９】
本発明によれば、ＤＣ−ＤＣコンバータを備えていない燃料電池システムに対しても、交流インピーダンスの測定が可能な燃料電池システム及び測定方法を提供することができる効果がある。
また、ＤＣ−ＤＣコンバータを備えている燃料電池システムであっても、前記ＤＣ−ＤＣコンバータが異常を示して正常に作動しなくなった場合に、インバータ装置の出力電力を正弦変化させることにより、交流インピーダンスの測定が可能な燃料電池システム及び測定方法を提供することができる効果がある。
【発明を実施するための最良の形態】
【００２０】
本発明の燃料電池システム及び測定方法の原理は、負荷装置である三相モータに供給される交流電力に正弦波を重畳させ、この時の燃料電池の出力電圧と出力電流とから、燃料電池の交流インピーダンスを測定するものである。
【００２１】
次に本発明を実施するための好適な実施形態を、図面を参照しながら説明する。
本発明の実施形態は、電気自動車に搭載する燃料電池システムに本発明を適用したものである。以下の実施形態は本発明の適用形態の単なる例示に過ぎず、本発明を限定するものではない。
【００２２】
（実施形態１）
この実施形態１は、交流インピーダンスの測定を可能にした燃料電池システムに係り、特に、ＤＣ−ＤＣコンバータを備えずに、燃料電池の動的な制御により発電を安定化させるように構成した燃料電池システムの構成例に関する。
【００２３】
図１は、本発明の実施形態１に係る燃料電池システムの回路構成を示す回路構成図である。
図１に示すように、本燃料電池システム（燃料電池システム１）は、燃料電池１１（即ち、燃料電池本体）と、負荷装置であるエアコンプレッサモータ１２と、負荷装置である冷却ポンプモータ１３と、負荷装置であるトラクションモータ１４と、燃料電池１１からの充電及び前記負荷装置への放電が可能に構成された電力用コンデンサ１５と、を備えて構成される。
【００２４】
また、本燃料電池システムは、インバータ装置１６１（後述）の出力電力を正弦変化させるための正弦波重畳部１６と、正弦波重畳部１６の入力信号を制御する制御部１７と、燃料電池１１の交流インピーダンスを測定するための交流インピーダンス測定装置１８と、燃料電池１１の出力電圧値を示す信号を出力する電圧計Ｖと、燃料電池１１の出力電流値を示す信号を出力する電流計Ａと、を備えている。
【００２５】
さらに、正弦波重畳部１６は、ＤＣ−ＡＣ変換を行うインバータ装置１６１と、インバータ装置１６１を制御するインバータ制御部１６２と、を備える。
【００２６】
燃料電池１１は、セル（単セル）を複数積層したスタック構造を備えている。各セルは、ＭＥＡ（Membrane Electrode Assembly）と呼ばれる発電体を、水素ガス、空気、冷却水の流路を有するセパレータ一対で挟み込んだ構造をしている。ＭＥＡは高分子電解質膜をアノード極及びカソード極の二つの電極で挟み込んだ構造をしている。アノード極は燃料極用触媒層を多孔質支持層上に設けて構成され、カソード極は空気極用触媒層を多孔質支持層上に設けて構成される。その他、燃料電池の形態として、リン酸型、溶融炭酸塩型等を用いることが可能である。
【００２７】
燃料電池１１は、水の電気分解の逆反応を起こすものであり、アノード（陰極）極側には燃料ガス供給系統からアノードガスである水素ガスが供給される。同時に、カソード（陽極）極側にはカソードガス供給系統から酸素を含んだカソードガスである空気が供給される。アノード極側では式（１）のような反応を、カソード極側では式（２）のような反応を生じさせて電子を循環させ電流を流すものである。
【００２８】
Ｈ2  →  ２Ｈ+＋２ｅ-  …（１）
２Ｈ+＋２ｅ-＋（１／２）Ｏ2  →  Ｈ2Ｏ  …（２）
【００２９】
前記アノードガス供給系としては、水素ガス供給源としての水素タンク、アノードガス供給路、アノードオフガス排出路を備える（いずれも図示は省略）。
【００３０】
その他、図示しないが、水素ガスを流通させるための水素ポンプ、水素ガスの管理制御のために必要な元弁や調整弁、遮断弁、逆止弁、気液分離器等を備えていてもよい。
【００３１】
この実施形態では、負荷装置のモータとして、エアコンプレッサモータ１２、冷却ポンプモータ１３、及びトラクションモータ１４を、燃料電池１１に接続しているが、本発明では、一般に、任意のモータを負荷装置とすることができる。
【００３２】
また、この実施形態では、正弦波重畳部１６がエアコンプレッサモータ１２に付属する構成としているが、本発明では、一般に、測定可能な電力の正弦変化が得られる限りにおいて、正弦波重畳部１６と同様の正弦波重畳部は、負荷装置をなす任意のモータに付属させることができる。但し、本燃料電池システム全体として、正弦波重畳部１６は高々１つを設置するだけでよい。さらに言えば、正弦波重畳部１６は、トラクションモータ１４のような主機は避けて、エアコンプレッサモータ１２や冷却ポンプモータ１３のような補機に接続することが好ましい。
【００３３】
制御部１７は、図示しないＣＰＵ（中央処理装置）、ＲＡＭ、ＲＯＭ、インターフェース回路等を汎用コンピュータとしての構成を備えている。制御部１７は、内蔵ＲＯＭ等に格納されているソフトウェアプログラムを順次実行することにより、主としてアノードガス供給系、カソードガス供給系、電力系（いずれも図示は省略する）を含む燃料電池システム全体を制御する他、本燃料電池システムにおいて、本発明の交流インピーダンス測定方法の実行を制御する。即ち、前記コンピュータの制御によって、トラクションモータ１４のトルクを指定するトルク量Ｔの指令信号と、ｑ軸電流成分ＣＩｑ及びｄ軸電流成分ｃＩｄ（いずれも後述する）とが、制御部１７から、正弦波重畳部１６のインバータ制御部１６２に出力され、これにより、トルク量Ｔの下で、インバータ装置１６１の出力電力に正弦波が重畳される（図２（ａ）参照）。
【００３４】
図２は、本燃料電池システムの各モータとインバータ装置との詳細な配線接続を示す回路図であり、図２（ａ）は、エアコンプレッサモータ１２とインバータ装置との接続、図２（ｂ）は冷却モータ１３とインバータ装置との接続、図２（ｃ）はトラクションモータ１４とインバータ装置との接続を、それぞれ示す。
【００３５】
図２（ａ）は、正弦波重畳部１６の具体的な回路構成を示すものである。
燃料電池１１（図１）から出力される直流電力は、インバータ装置１６１によって交流電力（例えば、三相交流）に変換され、エアコンプレッサモータ１２に入力されている。インバータ制御部１６２には、制御部１７からトルク量Ｔ、ｑ軸電流成分ＣＩｑ、及びｄ軸電流成分ＣＩｄが供給されている。インバータ制御部１６２からは、各相の電圧目標値を得るためのパルス幅変調されたスイッチング信号がインバータ装置１６１に出力されている。このスイッチング信号は、各相の位相が調整されたものとなっている。インバータ装置１６１は、スイッチング信号に基づき直流電流のスイッチングが実施され、所定の位相差を互いに有する三相交流電流が出力される。各相には図示しない電流検出器が設けられており、各相の出力電流が検出するようになっている。各相において検出された電流値は、インバータ制御部１６２に入力されている。インバータ制御部１６２は、各相からの検出電流をフィードバック要素とし、インバータ装置１６１の出力が制御部１７から指令されたｑ軸電流成分ＣＩｑ及びｄ軸電流成分ＣＩｄが維持されるようにフィードバック制御する。また、インバータ制御部１６２には、エアコンプレッサモータ１２から回転数を示す情報が入力されている。
【００３６】
図２（ｂ）に示す接続では、燃料電池１１（図１）から出力される直流電力が、インバータ装置１３１によって交流電力に変換され、冷却モータ１３に入力される。
図２（ｃ）に示す接続では、燃料電池１１（図１）から出力される直流電力が、インバータ装置１４１によって交流電力に変換され、トラクションモータ１４に入力される。トラクションモータ１４は、ここでは三相モータであり、当該燃料電池システムが搭載される自動車の主動力源である。
【００３７】
図３は、燃料電池の負荷装置であるモータの動作特性を示すグラフである。
この実施形態では、図３は、エアコンプレッサモータ１２の動作特性である進角−トルク特性を示しているものとする。
【００３８】
同図に示すように、エアコンプレッサモータ１２のトルク量Ｔは、インバータ装置１６１（図１）から出力される電流パラメータＩ（インバータ装置１６１の出力電流）によって変化するが、今、この電流パラメータＩとして、或る電流値ＩAを定め、この電流値ＩAの下でのトルク量Ｔのグラフを描けば、このグラフ上で当該トルク量Ｔのピークを与える進角θAが定まる（図３では、このピークを与える動作点を符号Ａで示している）。
【００３９】
また、電流パラメータＩとして、前記とは異なる電流値ＩBを定め、この電流値ＩBの下でのトルク量Ｔのグラフを描けば、このグラフ上で、前記ピークのトルク量と等しいトルク量Ｔを与える進角θBが定まる（図３では、前記ピークのトルク量と等しいトルク量Ｔを与える動作点を符号Ｂで示している）。そこで、動作点がＡ点（符号Ａで示す点）とＢ点（符号Ｂで示す点）との間で正弦変更をするように、この電流パラメータＩをさせれば、進角Ｂの描く軌跡を正弦波とすることができる。
【００４０】
ここで、前記の進角とは、モータ装置の設計によって定まる量であり、モータが最大効率を保つことができるようにする機械的オフセット量のようなものである。ちなみに、前述の進角−トルク特性を示すグラフ上のＡ点は、電流パラメータが電流値ＩＡの場合に効率が最も良い進角である。
【００４１】
本発明では、前記ピークのトルク量と等しいトルク量Ｔを与える進角を、電流パラメータＩを変化させることにより、敢えて、効率が悪くなるＢ点まで移動させ、これにより、インバータ入力電力量が増える（効率が悪くなるから、燃料電池１１の電流量が大きくなる）→燃料電池１１の電流−電圧特性上で電流変動に応じて動作点が変動する（電流が増加すると電圧が低下する）→燃料電池１１の負荷電力が正弦波動を描いて変動する、といった作用を得ている。
【００４２】
燃料電池１１の負荷電力が、前記の正弦波動を描くことにより、燃料電池１１の出力を測定する電圧計（Ｖ）の測定値と、同じく電流計（Ａ）の測定値とから、燃料電池１１の交流インピーダンスの測定が可能となる。
なお、より具体的には、前述の電流パラメータＩとして与えられるインバータ装置１６１の出力電流は、後述するモータ装置のｄ軸電流成分のことである。
【００４３】
図４は、モータに入力される互いに直交する電流成分（Ｉｄ（ｄ軸電流成分）と、Ｉｑ（ｑ軸電流成分））とを示すベクトル図である。Ｉｑ（ｑ軸電流成分）はモータの機械的なトルクに影響を与える電流成分であり、Ｉｄ（ｄ軸電流成分）はモータの界磁に影響する電流成分である。
【００４４】
同図に示すように、モータに入力される電流は、当該モータの機械的なトルクに影響を与えるＩｑ（ｑ軸電流成分）を一定値に保ったまま、モータの界磁に影響するＩｄ（ｄ軸電流成分）だけを時間の推移に連れて増減させ、正弦波を描かせるように制御することができる。このような制御は、制御部１７によって行われる。即ち、制御部１７からは、インバータ制御部１６２に対して、トルク量Ｔの指令信号、ｑ軸電流成分ＣＩｑ、及びｄ軸電流成分ＣＩｄを送出することによって、前記の制御を達成する。
【００４５】
図５は、本燃料電池の出力電流と出力電圧とを示すグラフ（Ｉ−Ｖ特性）である。
【００４６】
同図が示すように、本燃料電池の出力電圧は、電圧値ＶAと電圧値ＶBとの間を正弦波を描いて移動する区間を有し、また、本燃料電池の出力電流も、電流値ＩAと電流値ＩBとの間を、正弦波を描いて移動する区間を有する。即ち、本燃料電池の出力電力には、本来の直流成分に加えて、電流、電圧とも、正弦波を描く成分、即ち交流成分が重畳されることになるので、これにより、本燃料電池の交流インピーダンスの測定が可能となる。
【００４７】
なお、本燃料電池の出力電力に重畳される前記正弦波成分は、インバータ装置１６１の出力電力に正弦波成分が重畳されることにより生じたものである（図２（ａ）参照）。
【００４８】
以上、本実施形態１によれば、負荷装置であるモータに接続されるインバータを使用して燃料電池１１の出力電力に正弦波の交流成分を重畳するので、ＤＣ−ＤＣコンバータを備えていない燃料電池システムにおいても、高い精度で燃料電池の交流インピーダンスを測定することができる効果が有る。
【００４９】
（実施形態２）
この実施形態２は、交流インピーダンスの測定を可能にしたハイブリッド型の燃料電池システムに係り、特に、ＤＣ−ＤＣコンバータを備えて、燃料電池の発電を安定化させる際の余剰電力または不足電力を、バッテリに充放電可能にした燃料電池システムの構成例に関する。
【００５０】
図６は、本発明の実施形態２に係る燃料電池システムの回路構成を示す回路構成図である。
同図に示す本発明の実施形態２に係る燃料電池システム２は、図１に示す本発明の実施形態１に係る燃料電池システム１の構成と比べて、バッテリ回路２１が追加されており、また、制御部１７が制御部１９に置き代わっただけであるので、以下の説明では、主としてバッテリ回路２１と制御部１９について説明する。
【００５１】
本実施形態に係る燃料電池システム２のバッテリ回路２１は、ハイブリッドシステムを実現するためのバッテリ２１１と、ＤＣ−ＤＣコンバータ２１２と、バッテリコンピュータ２１３と、を備えている。
【００５２】
但し、本発明の実施形態２に係る燃料電池システム２では、ＤＣ−ＤＣコンバータ２１２を使用して正弦波を重畳する交流インピーダンスの測定回路（即ち、従来の交流インピーダンスの測定回路）を備えているが、この回路は本発明の本質を示す部分ではないので、図示を省略している。
【００５３】
バッテリ２１１は、ハイブリッド燃料電池システムを構築するためのものであり、即ち、燃料電池１１の電力と共に負荷装置に蓄電された電力を流通させるためのものである。
【００５４】
ＤＣ−ＤＣコンバータ２１２は、バッテリ２１１から取り出されて負荷装置に供給される電圧の値を燃料電池１１の出力電圧と一致させる電圧変換装置である。即ち、ＤＣ−ＤＣコンバータ２１２を使用することによって、バッテリ２１１の電力を燃料電池１１の電力と共に負荷回路に流通させることができる（即ち、ハイブリッド燃料電池システムを構築することができる）。逆に、燃料電池１１の余剰電力や負荷装置からの回生電力は、降圧してバッテリ２１１に充電することができる。
【００５５】
バッテリコンピュータ２１３は、バッテリ２１１の出力端子に設けられており、制御部１９と通信可能になっている。バッテリコンピュータ２１３は、バッテリ２１１の充電状態を監視し、バッテリが過充電や過放電に至らない適正な充電範囲内に維持するとともに、万が一バッテリ２１１が異常を示す（例えば、過充電や過放電等）状態になったら制御部１９に通知するようになっている。
【００５６】
制御部１９は、ＣＰＵ（中央処理装置）、ＲＡＭ、ＲＯＭ、インターフェース回路等を汎用コンピュータとしての構成を備えている。制御部１９は、内蔵ＲＯＭ等に格納されているソフトウェアプログラムを順次実行することにより、主としてアノードガス供給系、カソードガス供給系、電力系（いずれも図示は省略する）を含む燃料電池システム全体を制御する他、本燃料電池システムにおいて、本発明の交流インピーダンス測定方法の実行を制御する。
【００５７】
図７は、本発明の実施形態２に係る燃料電池システムの基本動作を示すフローチャートである。
以下、図６に示す本燃料電池システムの回路構成を参照しながら、図７に示すフローチャートを使用して、制御部１９の動作を説明する。
【００５８】
制御部１９の動作は、ＤＣ−ＤＣコンバータ２１２が異常を示した場合に、交流インピーダンスの測定を、本発明の実施形態１に係る燃料電池システムにおける交流インピーダンスの測定方法に切り換えることを特徴としている。
【００５９】
まず、交流インピーダンス測定を実施するモードになっているか否かが検査される（Ｓ１）。交流インピーダンス測定モードとなっていなかった場合（Ｓ１：ＮＯ）、直ちに処理を終了する。この終了後、交流インピーダンス測定モードに切り替えるか否かの判断を下す処理が行われることになるが、この部分は本発明の範囲外である。
【００６０】
一方、既に交流インピーダンス測定モードがオン状態となっている場合には（Ｓ１：ＹＥＳ）、ＤＣ−ＤＣコンバータ２１２の異常を検出したか否かが検証される（Ｓ２）。ＤＣ−ＤＣコンバータ２１２の異常が検出されている場合（Ｓ２：ＹＥＳ）、ベクトル制御によりインバータ制御部１６２の出力電流を変化させ、燃料電池の出力電力に正弦波が重畳される（即ち、前述の本発明の実施形態２に係る交流インピーダンスの測定法が実行される）（ステップＳ３）。そして、その正弦波変動する電力変化を検出して交流インピーダンスの測定が行われ（即ち、従来の交流インピーダンスの測定法が実行され）（Ｓ５）、その後、ステップＳ１に戻る。
【００６１】
一方、ＤＣ−ＤＣコンバータ２１２の異常が検出されていない場合（Ｓ２：ＮＯ）、従来どおり、ＤＣ−ＤＣコンバータ２１２を使用して燃料電池の出力電力に正弦波が重畳される（ステップＳ４）。そして、その正弦波変動する電力変換を検出して交流インピーダンスの測定が行われ（即ち、従来の交流インピーダンスの測定法が実行され）、その後、ステップＳ１に戻る。
【００６２】
なお、前記の動作では、交流インピーダンス測定モードとなっていなかった場合（Ｓ１：ＮＯ）、直ちに処理を終了するものとしたが、他に、交流インピーダンス測定モードとなるまで待機するようにしてもよい。
【００６３】
上記フローチャートに基づく説明は、本発明の一例であり、処理の詳細や順番に限定はない。
以上、本実施形態２によれば、ＤＣ−ＤＣコンバータを備えている燃料電池システムの当該ＤＣ−ＤＣコンバータが異常を示した場合には、直ちに、負荷装置であるモータに接続されるインバータを使用して燃料電池１１の出力電力に正弦波の交流成分を重畳する交流インピーダンスの測定方法に切替えられるので、燃料電池システムの信頼性を高め、その実用性を一層高めることができる効果がある。
【００６４】
（その他の実施形態）
本発明は上記実施形態以外にも種々に変更して適用することが可能である。
例えば、上記実施形態２では、ＤＣ−ＤＣコンバータを備えている燃料電池システムにおいて、当該ＤＣ−ＤＣコンバータが異常を示した場合の燃料電池の交流インピーダンスの測定に上記実施形態１に係る交流インピーダンス測定法を適用するものとしたが、前記燃料電池システムにおいて、従来の交流インピーダンスの測定回路の設置を省略し、かつ当該ＤＣ−ＤＣコンバータが異常を示すか否かには関わらずに上記実施形態１に係る交流インピーダンス測定法を適用するように構成してもよい。
【００６５】
また、上記各実施形態では移動体である車両上に搭載される燃料電池システムを例示したが、本発明は、自動車のみならず、他の移動体、例えば、電車、船舶、航空機等に搭載されるものであってもよい。また、定置型の燃料電池システムにおいて本発明を適用しても無論よい。
【図面の簡単な説明】
【００６６】
【図１】本発明の実施形態１に係る燃料電池システムの回路構成を示す回路構成図である。
【図２】本燃料電池システムの各モータとインバータ装置との詳細な配線接続を示す回路図であり、図２（ａ）は、エアコンプレッサモータ１２とインバータ装置との接続、図２（ｂ）は冷却モータ１３とインバータ装置との接続、図２（ｃ）はトラクションモータ１４とインバータ装置との接続を、それぞれ示す。
【図３】燃料電池の負荷装置であるモータの動作特性を示すグラフである。
【図４】モータに入力される互いに直交する電流成分（Ｉｄ（ｄ軸電流成分）と、Ｉｑ（ｑ軸電流成分））とを示すベクトル図である。
【図５】本燃料電池の出力電流と出力電圧とを示すグラフである。
【図６】本発明の実施形態２に係る燃料電池システムの回路構成を示す回路構成図である。
【図７】本発明の実施形態２に係る燃料電池システムの基本動作を示すフローチャートである。
【図８】ＤＣ−ＤＣコンバータを備えていない燃料電池システムの１構成例を示すものである。
【符号の説明】
【００６７】
１…燃料電池システム（実施形態１に係る燃料電池システム）、２…燃料電池システム（実施形態２に係る燃料電池システム）、１１…燃料電池（本体）、１２…エアコンプレッサモータ、１３…冷却ポンプモータ、１４…トラクションモータ、１５…電力用コンデンサ、１６…正弦波重畳部、１７，１９…制御部、１８…交流インピーダンス測定装置、２１…バッテリ回路、１３１，１４１，１６１…インバータ装置、１６２…インバータ制御部、２１１…バッテリ、２１２…ＤＣ−ＤＣコンバータ、２１３…バッテリコンピュータ、Ｖ…電圧計、Ａ…電流計、Ｃｌｄ…ｄ軸電流成分、Ｃｌｑ…ｑ軸電流成分、Ｔ…トルク量
【図１】
2008053162.tif 000003
【図２】
2008053162.tif 000004
【図３】
2008053162.tif 000005
【図４】
2008053162.tif 000006
【図５】
2008053162.tif 000007
【図６】
2008053162.tif 000008
【図７】
2008053162.tif 000009
【図８】
2008053162.tif 000010